(57)【特許請求の範囲】
【請求項１】
芳香剤を収容する容器と、
容器内の芳香剤に一端側を浸漬し、容器外に他端側を立上げてなる吸上げ部材とを有してなる芳香器であって、
吸上げ部材を棒状の中空状にし、
容器内部の吸上げ部材の幅が、容器内部の幅より狭く、
容器内部において、芳香剤が吸上げ部材の内側及び外側に存在し、
吸上げ部材の他端側の上端部の内外周面を揮散領域に直接的に臨ませ、該上端部の内外周面から芳香剤が揮散領域に揮散する芳香器。
【請求項２】
前記容器の天面にキャップ状孔開きカバーを取付け、吸上げ部材から揮散領域に揮散した芳香剤を孔開きカバーの孔から外部空間に揮散させる請求項１に記載の芳香器。
【発明の詳細な説明】
【技術分野】
【０００１】
本発明は芳香器に関する。
【背景技術】
【０００２】
芳香器として、特許文献１に記載の如く、芳香剤を収容する容器と、容器内の芳香剤に一端側を浸漬し、容器外の揮散領域の側に立上げてなる吸上げ部材とを有してなるものがある。
【特許文献１】特開2001-225884
【発明の開示】
【発明が解決しようとする課題】
【０００３】
特許文献１の芳香器は、容器に当初から収容してあった芳香剤の全量が揮散し終わったときに使用終了とするものであり、再使用の考慮がない。容器の口部は吸上げ部材（中栓及び吸液芯）により閉塞されていて、詰め替え剤を注入できない。芳香器の再使用のために、吸上げ部材を口部に対し脱着できるようにしても、使用者の手を相当にわずらわす。
【０００４】
一方、芳香器において、吸上げ部材が吸上げた芳香剤は吸上げ部材の上端部の側で揮散領域に直接的に臨む部分や、吸上げ部材の上端部に当接させた揮散部材（揮散マット）から揮散領域に揮散する。このとき、芳香剤のうちで揮散しにくい成分が、吸上げ部材や揮散部材の揮散領域に臨む揮散面につまり、それらの揮散性能を減ずる原因になる。ところが、吸上げ部材は容器内に収容されていて容器外の揮散領域（外界）に直接的に臨む部分は全く、又は殆どなく、吸上げ部材が上述のつまりにより使用不可に至るまでの寿命は長く、相当の再使用が許される。即ち、本発明者は、再使用可能な容器と吸上げ部材を廃棄することなくくり返し使用し、部品の再利用、廃棄物の削減を図ることに着目した。
【０００５】
本発明の課題は、芳香剤の吸上げ部材を用いる芳香器において、芳香剤の簡易な詰替えによる再使用を図ることにある。
【課題を解決するための手段】
【０００６】
請求項１の発明は、芳香剤を収容する容器と、容器内の芳香剤に一端側を浸漬し、容器外に他端側を立上げてなる吸上げ部材とを有してなる芳香器であって、吸上げ部材を棒状の中空状にし、容器内部の吸上げ部材の幅が、容器内部の幅より狭く、容器内部において、芳香剤が吸上げ部材の内側及び外側に存在し、吸上げ部材の他端側の上端部の内外周面を揮散領域に直接的に臨ませ、該上端部の内外周面から芳香剤が揮散領域に揮散するようにしたものである。
【発明を実施するための最良の形態】
【０００７】
（実施例１）（図１、図２）
芳香器１０は、使用開始前段階（物流段階）で、図１（Ａ）に示す如く、容器１１と吸上げ部材１２を分離して構成される。
【０００８】
容器１１は、液状芳香剤Ｌを収容する。容器１１は、開口部１１Ａの外周に蓋１１Ｂを螺着可能にしており、使用開始前段階で蓋１１Ｂにより芳香剤Ｌを密封する。芳香剤Ｌは、香料と活性剤を含む。
【０００９】
吸上げ部材１２は、棒状のフェルト芯、焼結金属芯等からなり、容器１１の内部に開口部１１Ａから隙間なく挿入される。吸上げ部材１２は、容器１１内の芳香剤Ｌに一端部を浸漬し、容器１１外の揮散領域（外界）Ａの側に他端側を立上げられる。尚、吸上げ部材１２は、下端部に切欠き、中間部分に外周から中空部１２に貫く穴を設けるものであっても良い。
【００１０】
本実施例の吸上げ部材１２は、容器１１外にある上端部を揮散領域Ａに直接的に臨ませ、芳香剤Ｌの揮散面とする。
【００１１】
芳香器１０にあっては、吸上げ部材１２を中空状の円筒体とし、中空部１２Ａを詰め替え剤注入路として使用可能にする。
【００１２】
芳香器１０の使用手順は以下の如くになる。
(1)容器１１から蓋１１Ｂを外し、容器１１の開口部１１Ａから容器１１の内部に吸上げ部材１２を挿入して芳香器１０を組立てる。吸上げ部材１２の下端部と容器１１の底面との間に、剤通路となる隙間を形成しておく（図１（Ｂ））。
【００１３】
(2)吸上げ部材１２が吸上げる容器１１内の芳香剤Ｌを、吸上げ部材１２の上端部の内外周面から揮散領域Ａに揮散する。尚、容器１１内の芳香剤Ｌは、吸上げ部材１２を介さず、吸上げ部材１２の中空部１２Ａを通って揮散領域Ａに揮散することもできる。
【００１４】
(3)容器１１内の芳香剤Ｌが揮散し終わって空になったら（図２（Ａ））、詰め替え容器１００の注入口１０１を吸上げ部材１２の中空部１２Ａの上端開口に挿入し、詰め替え剤としての詰め替え容器１００内の芳香剤Ｌを中空部１２Ａから容器１１に注入する（図２（Ｂ））。再び上述(2)による芳香剤Ｌの揮散が開始される（図２（Ｃ））。
【００１５】
本実施例によれば以下の作用効果を奏する。
(a)芳香器１０の容器１１に設けた吸上げ部材１２を中空状にした。従って、容器１１に収容してあった芳香剤Ｌの全量が揮散し終わったとき、詰め替え容器１００の詰め替え剤を吸上げ部材１２の中空部１２Ａに注入し、ひいては容器１１に簡易に注入できる。
【００１６】
(b)容器１１外にある吸上げ部材１２の上端部の側で揮散領域Ａに直接的に臨む部分は芳香剤Ｌの揮散面となり、芳香剤Ｌのうちで揮散しにくい成分（活性剤）が次第につまるものの、吸上げ部材１２は相当のくり返し使用によっても一定の揮散性能を持続するし、吸上げ部材１２の容器１１内にある部分の吸上げ性能は経時的に殆ど劣化しない。従って、上述(a)の芳香剤Ｌの詰め替えにより、長寿命で再使用可能な容器１１と吸上げ部材１２を廃棄することなくくり返し使用し、部品の再利用、廃棄物の削減を図ることができる。
【００１７】
(c)芳香器１０の容器１１に設けた吸上げ部材１２の下端部に切欠き、又は／及び吸上げ部材の外周から中空部１２に貫く穴を設ければ、これらが剤通路となり、注入された詰替え剤が吸上げ部材１２の中空部１２Ａを経由して容器１１内にスムーズに注ぎこまれる。
【００１８】
（参考例１）（図３）
参考例１の芳香器１０Ａが実施例１の芳香器１０と異なる点は、図３に示す如く、吸上げ部材１２の中空部１２Ａの上端開口に着脱自在なこぼれ防止栓２０を付加したことにある。こぼれ防止栓２０は、机上等で芳香器１０Ａが倒れたとき、芳香剤Ｌが中空部１２Ａからこぼれ出ることを防止する。こぼれ防止栓２０を吸上げ部材１２の中空部１２Ａの上端開口に着脱して、詰め替え剤の注入を行なうことになる。
【００１９】
芳香器１０Ａでは、こぼれ防止栓２０を吸上げ部材１２と同様の材質からなる揮散部材として兼用することもできる。吸上げ部材１２が吸上げた芳香剤Ｌが、吸上げ部材１２の上端部の外周面から揮散領域Ａに揮散するとともに、吸上げ部材１２の上端部からこぼれ防止栓２０の側に浸透して該こぼれ防止栓２０の外面からも揮散領域Ａに揮散するものになる。
【００２０】
（実施例２）（図４）
実施例２の芳香器１０Ｂが実施例１の芳香器１０と異なる点は、図４に示す如く、容器１１の天面に設けた環状取付溝部１１Ｃにキャップ状孔開きカバー３０の下端係止部３１を取付け、吸上げ部材１２から揮散領域Ａに揮散した芳香剤Ｌを孔開きカバー３０の天面又は／及び側面の孔３２から外部空間に揮散させる。孔開きカバー３０は、使用者の手指が吸上げ部材１２の上端部に触れることを防止し、いたずら防止手段にもなる。
【００２１】
（参考例２）（図５、図６）
参考例２の芳香器１０Ｃが実施例１の芳香器１０と異なる点は、図５に示す如く、吸上げ部材１２の容器１１の外にある上端部の端面に揮散部材（揮散マット）４０を当接させたこと、更には吸上げ部材１２の容器１１外にある部分を外界に対して遮蔽カバー５０により遮蔽したことにある。
【００２２】
揮散部材４０は、ろ紙等からなる平板円盤状をなし、吸上げ部材１２の上端面に接触する。吸上げ部材１２が吸上げた芳香剤Ｌは、揮散部材４０に浸透して該揮散部材４０の外面から揮散領域Ａに揮散するものになる。揮散部材４０は吸上げ部材１２より大径とされ、揮散領域Ａに臨む上端面が形成する揮散面の面積を、吸上げ部材１２の容器１１外にある部分の外周面積より大きくする等、芳香剤Ｌの揮散面積を拡大可能にする。
【００２３】
遮蔽カバー５０は筒状体をなし、筒状体の内周に揮散部材４０を挿着した状態で、容器１１の天面に設けた環状取付溝部１１Ｃに下端係止部５１を着脱自在に取付け、揮散部材４０の上端面の外周縁部を上端係止部５２により押さえ保持する。揮散部材４０は、遮蔽カバー５０の上端係止部５２により、吸上げ部材１２の上端面に圧接されるように保持される。遮蔽カバー５０の筒状体は、吸上げ部材１２の容器１１外にある部分の周囲を外界に対して封止する。
【００２４】
芳香器１０Ｃの使用手順は以下の如くになる。
(1)容器１１から蓋１１Ｂを外し、容器１１の開口部１１Ａから容器１１の内部に吸上げ部材１２を挿入して芳香器１０Ｃを組立てる。吸上げ部材１２の下端部と容器１１の底面との間に、剤通路となる隙間を形成しておく（図５（Ｂ））。
【００２５】
(2)揮散部材４０を挿着してある遮蔽カバー５０（図５（Ａ））の下端係止部５１を容器１１の環状取付溝部１１Ｃに取付け、揮散部材４０を吸上げ部材１２の容器１１外にある上端面に圧接させる。
【００２６】
(3)吸上げ部材１２が吸上げる容器１１内の芳香剤Ｌを、揮散部材４０の上端面から揮散領域Ａに揮散する。
【００２７】
(4)容器１１内の芳香剤Ｌが揮散し終わって空になったら、揮散部材４０を挿着してある遮蔽カバー５０の下端係止部５１を容器１１の環状取付溝部１１Ｃから外す。そして、詰め替え容器１００の注入口１０１を吸上げ部材１２の中空部１２Ａの上端開口に挿入し、詰め替え剤としての詰め替え容器１００内の芳香剤Ｌを中空部１２Ａから容器１１に注入する（図６）。再び上述(3)による芳香剤Ｌの揮散が開始される。
【００２８】
本参考例によれば以下の作用効果を奏する。
(a)芳香器１０Ｃの容器１１に設けた吸上げ部材１２を中空状にした。従って、容器１１に収容してあった芳香剤Ｌの全量が揮散し終わったとき、詰め替え容器１００の詰め替え剤を吸上げ部材１２の中空部１２Ａに注入し、ひいては容器１１に簡易に注入できる。
【００２９】
(b)吸上げ部材１２に揮散部材４０を当接させることにより、吸上げ部材１２が吸上げた芳香剤Ｌの揮散面積を拡大し、芳香器１０Ｃのコンパクトを図ることができる。揮散部材４０は芳香剤Ｌのうちで揮散しにくい成分（活性剤）が揮散面につまって揮散性能が劣化した時点で交換される。
【００３０】
(c)吸上げ部材１２に揮散部材４０を当接させることにて、芳香剤Ｌの揮散機能は揮散部材４０に委ね、吸上げ部材１２を芳香剤Ｌの吸上げ手段として専用化することができる。この場合には、吸上げ部材１２の容器１１外にある部分を、遮蔽カバー５０を用いて外界に対し遮蔽することにより、吸上げ部材１２が揮散領域Ａに直接的に臨んで揮散面となることがないようにする。これにより、吸上げ部材１２が芳香剤Ｌのうちで揮散しにくい成分（活性剤）のつまりによって少しでも劣化することを回避し、吸上げ部材１２のより長寿命を図ることができる。従って、上述(a)の芳香剤Ｌの詰め替えにより、長寿命で再使用可能な容器１１と吸上げ部材１２を廃棄することなくくり返し使用し、部品の再使用、廃棄物の削減を図ることができる。
【図面の簡単な説明】
【００３１】
【図１】図１は実施例１の芳香器を示し、（Ａ）は組立前の断面図、（Ｂ）は組立後の断面図である。
【図２】図２は芳香器の使用状態を示す断面図である。
【図３】図３は参考例１の芳香器を示す断面図である。
【図４】図４は実施例２の芳香器を示す断面図である。
【図５】図５は参考例２の芳香器を示し、（Ａ）は組立前の断面図、（Ｂ）は組立後の断面図である。
【図６】図６は芳香器の使用状態を示す断面図である。
【符号の説明】
【００３２】
１０、１０Ｂ  芳香器
１１  容器
１２  吸上げ部材
１２Ａ  中空部
３０  キャップ状孔開きカバー
【図１】
0004718787.tif 000002
【図２】
0004718787.tif 000003
【図３】
0004718787.tif 000004
【図４】
0004718787.tif 000005
【図５】
0004718787.tif 000006
【図６】
0004718787.tif 000007